(57)【要約】【課題】設備機器全般にメンテナンスやトラブルの発生時に使用者が短時間で容易に解決策を把握することができることを目的とする。【解決手段】本体１に二次元バーコードを設け、携帯端末４にて前記二次元バーコードを読み込みむとアクセス先情報が表示され、前記アクセス先情報へアクセスすると知りたい情報が前記携帯端末４にチャプターを有した動画で表示させ、本体１の二次元バーコードに携帯端末４をかざして二次元バーコードを読み込ませて携帯端末４の画面にアクセス先情報を表示させ目的とするアクセス先情報を選択することで知りたい情報を携帯端末４の画面に動画として表示させ、設備機器全般にメンテナンスやトラブルの発生時に使用者が短時間で容易に解決策を把握することができる設備機器取扱情報システムを得られる。【選択図】図４
2017027531.tif 000002
【特許請求の範囲】
【請求項１】
本体に二次元バーコードを設け、携帯端末にて前記二次元バーコードを読み込みむとアクセス先情報が表示され、前記アクセス先情報へアクセスすると知りたい情報が前記携帯端末にチャプターを有した動画で表示させることを特徴とする設備機器取扱情報システム。
【請求項２】
情報の知りたい部品を選択するとその部品と連動したチャプターの動画を表示されることを特徴とする請求項１に記載の設備機器取説情報システム。
【発明の詳細な説明】
【技術分野】
【０００１】
本発明は、設備機器分野における設備機器取り扱い情報に取り出しに関するものである。
【背景技術】
【０００２】
従来、この種の設備機器取扱情報システムは、２次元バーコードを読み取ってエラーコードを携帯端末等の表示部に表示されるものが知られている（例えば、特許文献１参照）。
【先行技術文献】
【特許文献】
【０００３】
【特許文献１】特開２００４−２６５３１７号公報
【発明の概要】
【発明が解決しようとする課題】
【０００４】
このような従来の設備機器取扱情報システムにおいては、設備機器が故障した場合設備機器に設けた２次元バーコードを使用者が携帯電話等で読み込むとエラーコードが表示されそのエラーコードをメーカへ電話等で知らせるが使用者はそのエラーコードですぐに解決策を把握することができない、という課題を有していた。
【０００５】
そこで本発明は、上記従来の課題を解決するものであり、設備機器全般にメンテナンスやトラブルの発生時に使用者が短時間で容易に解決策を把握することができる設備機器取扱情報システムを提供することを目的とする。
【課題を解決するための手段】
【０００６】
そして、この目的を達成するために、本発明は、本体に二次元バーコードを設け、携帯端末にて前記二次元バーコードを読み込みむとアクセス先情報が表示され、前記アクセス先情報へアクセスすると知りたい情報が前記携帯端末にチャプターを有した動画で表示させることとしたものであり、これにより所期の目的を達成するものである。
【発明の効果】
【０００７】
本発明によれば、本体に二次元バーコードを設け、携帯端末にて前記二次元バーコードを読み込みむとアクセス先情報が表示され、前記アクセス先情報へアクセスすると知りたい情報が前記携帯端末にチャプターを有した動画で表示させる、という構成にしたことにより、本体の二次元バーコードに携帯端末をかざして二次元バーコードを読み込ませて携帯端末の画面にアクセス先情報を表示させ目的とするアクセス先情報を選択することによって知りたい情報を携帯端末の画面に動画として表示させることとなるので、設備機器全般にメンテナンスやトラブルの発生時に使用者が短時間で容易に解決策を把握することができることができる、という効果を得ることができる。
【図面の簡単な説明】
【０００８】
【図１】本発明の実施の形態１の設備機器取扱情報システムを示す斜視図
【図２】同設備機器取扱情報システムのレンジフード単体を示す斜視図
【図３】同設備機器取扱情報システムの携帯端末のホーム画面を示す図
【図４】同設備機器取扱情報システムの携帯端末のホーム画面の選択後の画面を示す図
【図５】同設備機器取扱情報システムの動画の構成図
【発明を実施するための形態】
【０００９】
本発明の請求項１記載の設備機器取扱情報システムは、本体に二次元バーコードを設け、携帯端末にて前記二次元バーコードを読み込みむとアクセス先情報が表示され、前記アクセス先情報へアクセスすると知りたい情報が前記携帯端末にチャプターを有した動画で表示させる、という構成を有する。これにより、本体の二次元バーコードに携帯端末をかざして二次元バーコードを読み込ませて携帯端末の画面にアクセス先情報を表示させ目的とするアクセス先情報を選択することによって知りたい情報を携帯端末の画面に動画として表示させることとなるので、設備機器全般にメンテナンスやトラブルの発生時に使用者が短時間で容易に解決策を把握することができる、という効果を奏する。
【００１０】
また、情報の知りたい部品を選択するとその部品と連動したチャプターの動画を表示される、という構成にしてもよい。これにより、情報の知りたい部品をタップやタッチ等で選択しその部品と連動したチャプター部分から動画が再生されることとなるので、設備機器全般にメンテナンスやトラブルの発生時に使用者が更に短時間で容易に解決策を把握することができる、という効果を奏する。
【００１１】
以下、本発明の実施の形態について図面を参照しながら説明する。
【００１２】
（実施の形態１）
本発明の請求項１記載の設備機器取扱情報システムは、本体に二次元バーコードを設け、携帯端末にて前記二次元バーコードを読み込みむとアクセス先情報が表示され、前記アクセス先情報へアクセスすると知りたい情報が前記携帯端末にチャプターを有した動画で表示させる、という構成を有する。これにより、本体の二次元バーコードに携帯端末をかざして二次元バーコードを読み込ませて携帯端末の画面にアクセス先情報を表示させ目的とするアクセス先情報を選択することによって知りたい情報を携帯端末の画面に動画として表示させることとなるので、設備機器全般にメンテナンスやトラブルの発生時に使用者が短時間で容易に解決策を把握することができる、という効果を奏する。
【００１３】
また、情報の知りたい部品を選択するとその部品と連動したチャプターの動画を表示される、という構成にしてもよい。これにより、情報の知りたい部品をタップやタッチ等で選択しその部品と連動したチャプター部分から動画が再生されることとなるので、設備機器全般にメンテナンスやトラブルの発生時に使用者が更に短時間で容易に解決策を把握することができる、という効果を奏する。
【００１４】
以下、本発明の実施の形態について図面を参照しながら説明する。
【００１５】
（実施の形態１）
図１、２に示すように、本体１に二次元バーコード２（ＱＲコード（登録商標））を設ける。
【００１６】
設ける方法としては、二次元バーコード２自体を本体１に貼る。
【００１７】
あるいは、二次元バーコード２を操作部３に印刷する。
【００１８】
そして、携帯端末４（携帯電話、スマートフォン、タブレット等）にて二次元バーコード２を携帯端末４に読み込みむとアクセス先のインターネットのアドレス情報すなわちアクセス先情報（図示せず）が表示される。
【００１９】
そして、アクセス先情報へアクセスすると例えば設備機器のお手入れのしかたとか使いかたとかトラブル時の対応（故障かな？）等すぐに知りたい情報を即時に携帯端末４の表示部５に表示させる構成とする。
【００２０】
これにより、本体１の二次元バーコード２に携帯端末４をかざして二次元バーコード２を読み込ませて携帯端末４の表示部５である画面にアクセス先情報（アドレス）を表示させアクセス先情報を選択することによって知りたい情報を携帯端末４の表示部５である画面に表示させることとなる。
【００２１】
また、本体１を、電気やガスの調理器６（ここではガスの場合）の上方にフード外枠７とフード外枠７内面に沿う形状の内フード８と、ファンケーシング９内に例えばシロッコファンであるファン１０を有する送風機１１と、ファンケーシング９にファン１０を回転させるモーター１２とを設け、二次元バーコード２をフード外枠７の前面１３に設ける。
【００２２】
これにより、調理中に発生する油煙１４等は内フード８内の送風機１１に吸い込まれ、また、無理のなく手をかざした位置に二次元バーコード２があるので、レンジフード全般にメンテナンスやトラブルの発生時に短時間で容易に解決策を把握することができる。
【００２３】
また、フード外枠７の前面１３にスイッチ１５を設け、スイッチ１５の近傍に二次元バーコード２を設ける。
【００２４】
これにより、スイッチ１５を見たり操作したときに二次元バーコード２を見つけ認識させることとなるので、レンジフード全般にメンテナンスやトラブルの発生時に更に短時間で容易に解決策を把握することができる。
【００２５】
また、フード外枠７の前面１３の右側１６あるいは左側（図示せず）の近傍の一方に二次元バーコード２を設ける。
【００２６】
これにより、利き手１７で二次元バーコード２を容易にかざすこととなり、レンジフード全般にメンテナンスやトラブルの発生時に更に短時間で容易に解決策を把握することができる。
【００２７】
なお、スイッチ１５にメンブレン１８を用いている場合は、二次元バーコード２をメンブレン１８に印刷することで、スイッチ１５の近傍に二次元バーコード２を設けることになるので、使用者は容易に認識することができる。また、製造コスト（部品単価と工数）を削減することもできる。また、耐久性も向上することができる。
【００２８】
そして、知りたい情報例えばレンジフードのお手入れのしかたの表示について説明する。
【００２９】
また、本体１の二次元バーコード２を携帯端末４にて二次元バーコード２を読み込みむとアクセス先情報（図示せず）が表示される。
【００３０】
そして、図３に示すように、表示部５にはこの実施の形態では３つのメニューの「お手入れのしかた」「使いかた」「故障かな？」を表示している。
【００３１】
ここでは、一例として「お手入れのしかた」で説明する。
【００３２】
ここで「お手入れのしかた」としては、３つのメニューの「日常」「３か月に１回」「部品ごと」を表示している。
【００３３】
そして、「３か月に１回」へアクセスすると「３か月に１回」のお手入れのしかたが携帯端末４に一連の動画で表示される。
【００３４】
だけど、表示は一連の動画で表示されるため、ピンポイントで知りたい情報が表示されまでに時間を要したり、見逃した情報を再度表示させたりしたときにも時間を要していた。
【００３５】
そこで、それを解決するめに一連の動画に複数のチャプター１９を設け、「部品ごと」の動画に関連付けてアクセスする「部品ごと」のメニューを設ける。
【００３６】
では、この実施の形態ではチャプター１９を構成する４つのチャプターＡ２２、チャプターＢ２３、チャプターＣ２４、チャプターＤ２５で説明する。
【００３７】
チャプターＡ２２は例えばフード外枠７や操作部３の清掃の方法を動画で示す。そして、チャプターＢ２３は油煙１４（図１参照）の捕集効率を向上させる整流板２０の清掃の方法を動画で示す。そして、チャプターＣ２４は油等の汚れを捕集するオリフィス２１の清掃の方法を動画で示す。そして、最後に、チャプターＤ２５はファン１０の清掃の方法を動画で示す。
【００３８】
これにより、本体１の二次元バーコード２に携帯端末４をかざして二次元バーコード２を読み込ませて携帯端末４の表示部５である画面にアクセス先情報を表示させる。
【００３９】
ここでは、清掃期間の比較的長くてお手入れの仕方を忘れ易いファン１０について説明する。
【００４０】
ファン１０が掃除したいなと思った時、本体１からファン１０の取り外し方が分からないということがおきる。
【００４１】
そこで、スマホである携帯端末４を二次元バーコード２にかざして部品ごとで表示される部品のファン１０をタップする。
【００４２】
そうすると、最初のチャプターＡ２２からではなく、目的とするチャプターＤ２５の本体１からファン１０の取り外し方、から動画が始まり、それから、ファン１０の清掃の仕方（例えば、台所用中性洗を用いて剤樹脂製ブラシなどで洗い落とす）の動画が流れ、それから、本体１へファン１０の取付方法の動画が流れて終了する。そして、動画再生の前の画面に戻る。
【００４３】
つまり、目的とするアクセス先情報を選択することによって知りたい情報を携帯端末４の表示部５である画面に動画として表示させることとなるので、設備機器全般にメンテナンスやトラブルの発生時に使用者が短時間で容易に解決策を把握することができる。
【００４４】
また、情報の知りたい部品を選択するとその部品と連動したチャプターの動画を表示される。
【００４５】
これにより、情報の知りたい部品をタップやタッチ等で選択しその部品と連動したチャプター部分から動画が再生されることとなるので、設備機器全般にメンテナンスやトラブルの発生時に使用者が更に短時間で容易に解決策を把握することができる。
【産業上の利用可能性】
【００４６】
本発明にかかる設備機器取扱情報システムは、設備機器全般にメンテナンスやトラブルの発生時に使用者が短時間で容易に解決策を把握することができることを可能とするものであるので、レンジフード等の換気設備機器として有用である。
【符号の説明】
【００４７】
１  本体
２  二次元バーコード
３  操作部
４  携帯端末
５  表示部
６  調理器
７  フード外枠
８  内フード
９  ファンケーシング
１０  ファン
１１  送風機
１２  モーター
１３  前面
１４  油煙
１５  スイッチ
１６  右側
１７  利き手
１８  メンブレン
１９  チャプター
２０  整流板
２１  オリフィス
２２  チャプターＡ
２３  チャプターＢ
２４  チャプターＣ
２５  チャプターＤ
【図１】
2017027531.tif 000003
【図２】
2017027531.tif 000004
【図３】
2017027531.tif 000005
【図４】
2017027531.tif 000006
【図５】
2017027531.tif 000007